(57)【要約】      （修正有）【課題】肌の快適さを調整可能な肩紐を提供する。【解決手段】肩紐６０は肩紐部材２３、調整部材５１、連結部材５２および３Ｄ立体織物素材２５を備える。肩紐部材２３は少なくとも一つの第一肩紐２３ａを有する。調整部材５１は平面図が８字型であり、第一穿孔５１ａおよび第二穿孔５１ｂを有する。連結部材５２は第三穿孔５２ａおよび第四穿孔５２ｂを有する。３Ｄ立体織物素材２５は第一肩紐２３ａの中間部位に連結される。３Ｄ立体織物素材２５は一端が調整部材５１の第一穿孔５１ａおよび第二穿孔５１ｂを貫通し、続いて連結部材５２の第三穿孔５２ａを貫通し、続いて第三穿孔５２ａから折り返して第二穿孔５１ｂおよび第一穿孔５１ａを貫通することによって第一肩紐２３ａの長さを調整する。【選択図】図２
0003225247.tif 000002
【実用新案登録請求の範囲】
【請求項１】
肩紐部材、調整部材および３Ｄ立体織物素材を備え、
前記肩紐部材は少なくとも一つの第一肩紐を有し、
前記調整部材は８字型になる第一穿孔および第二穿孔を有し、
前記３Ｄ立体織物素材は第一サポーター、第二サポーターおよび複数の可撓性繊維サポーターを有し、前記第一サポーターおよび前記第二サポーターは相対的に配置され、複数の前記可撓性繊維サポーターは径方向に沿って前記第一サポーターおよび前記第二サポーターの間の表面に連結され、
前記３Ｄ立体織物素材は前記第一肩紐の中間部位に連結され、前記第一穿孔および前記第二穿孔を貫通することによって前記第一肩紐の長さを調整することを特徴とする肌の快適さを調整可能な肩紐。
【請求項２】
さらに連結部材を備え、
前記連結部材は少なくとも一つの第三穿孔を有し、
前記３Ｄ立体織物素材は一端が前記調整部材の前記第一穿孔および前記第二穿孔を貫通し、続いて前記第三穿孔を貫通することを特徴とする請求項1に記載の肌の快適さを調整可能な肩紐。
【請求項３】
前記肩紐部材は衣類の一部分になることを特徴とする請求項1に記載の肌の快適さを調整可能な肩紐。
【考案の詳細な説明】
【技術分野】
【０００１】
本考案は肩紐、とくに肌の快適さを調整可能な肩紐に関するものである。
【背景技術】
【０００２】
衣服は人類の日常生活に欠かせない必需品の一つである。技術の発展に伴って衣服は初期の遮蔽および保温機能をはじめ、現今の異なる場合に対応できる多機能を持つように進化しつつある。例えば正式な集まりの場合には相手に失礼のない衣服が求められる。それに対してスポーツジムなどのカジュアルな場所の場合には汗を乾かし通気をよくするなどの異なる快適機能を持つ衣服が求められる。
【０００３】
スポーツをやる際、肢体を伸展させる必要があるため、着用者に求められる衣服は吸水速乾機能のほかに伸縮弾性が必要である。製作の際に伸縮弾性のある生地は最も選択される。しかしながら、伸縮弾性のある生地は極限があるため、特定部位の伸縮弾性を増減させようとしてもなかなか思い通りにはいかない。
【０００４】
女性用スポーツインナー、例えばブラトップ（Bra top）は弾力性および吸水速乾機能がある生地から製作され、長さ調整機能が付いてないことが一般的であるため、常に肩紐を部分的に調整することが必要であるスマートな女性には適合しない。つまり、様々な体型の着用者のニーズを満たす製品は未だになかった。一方、ゴムのように伸縮性がある部材が肩紐などの部位に配置される際、通気性があまりよくないため、肌に接触して不快な反応が起こるという現象が起こる。
【０００５】
上述した問題に対し、調整できるだけでなく特定部位に良好な伸展性をもたらし、着用者に軽さおよび快適さを感じさせることができる肩紐を開発することは重要な課題である。
【考案の概要】
【考案が解決しようとする課題】
【０００６】
本考案は上述した問題に鑑み、肌の快適さを調整可能な肩紐を提供することを主な目的とする。肌の快適さを調整可能な肩紐は軽量の３Ｄ立体織物によって衣類の特定部位に良好な伸展性および通気性をもたらし、着用者に快適さを感じさせることができる。
【課題を解決するための手段】
【０００７】
上述した課題を解決するため、肌の快適さを調整可能な肩紐は肩紐部材、調整部材および３Ｄ立体織物素材を備える。肩紐部材は少なくとも一つの第一肩紐を有する。調整部材は８字型になる第一穿孔および第二穿孔を有する。３Ｄ立体織物素材は第一肩紐の中間部位に連結され、第一穿孔および第二穿孔を貫通することによって第一肩紐の長さを調整する。
【０００８】
本考案の一実施形態において、３Ｄ立体織物素材は第一サポーター、第二サポーターおよび複数の可撓性繊維サポーターを有する。可撓性繊維サポーターは径方向に沿って第一サポーターおよび第二サポーターの間の表面に連結されることによって３Ｄ立体織物素材を全方向に伸展させる。
【０００９】
本考案の一実施形態において、第一サポーターまたは第二サポーターは織物である。
【００１０】
本考案の一実施形態において、肌の快適さを調整可能な肩紐はさらに連結部材を備える。連結部材は少なくとも一つの第三穿孔を有する。３Ｄ立体織物素材は一端が調整部材の第一穿孔および第二穿孔を貫通し、続いて第三穿孔を貫通し、続いて第三穿孔から折り返し、第二穿孔および第一穿孔を貫通する。
【００１１】
上述したとおり、肌の快適さを調整可能な肩紐は３Ｄ立体織物素材の軽量特性および良好な通気性によって肌に接触する際の快適さを向上させることができる。言い換えれば、本考案による肌の快適さを調整可能な肩紐を応用したインナーは着用者に快適さを感じさせることができる。  
【図面の簡単な説明】
【００１２】
【図１】本考案の一実施形態による肌の快適さを調整可能な肩紐の３Ｄ立体織物素材を示す断面図である。
【図２】本考案の一実施形態による肌の快適さを調整可能な肩紐を示す側面図である。
【図３】本考案の一実施形態による肌の快適さを調整可能な肩紐を応用したインナーを示す正面図である。
【図４】本考案の一実施形態による肌の快適さを調整可能な肩紐の３Ｄ立体織物素材に繋ぎ生地が縫製された状態を示す模式図である。
【考案を実施するための形態】
【００１３】
以下、本考案による肌の快適さを調整可能な肩紐を図面に基づいて説明する。図中の同じ符号は同じ部品または類似した部品のまたはその構造特徴を示す。一方、本考案の技術特徴を明確にするために、実施形態により提示された図面の比率と実物の比率とは一致しない。
【００１４】
図１に示すように、本考案により掲示された３Ｄ立体織物素材２５は第一サポーター２５１、第二サポーター２５２および複数の可撓性繊維サポーター２５３を有する。第一サポーター２５１および第二サポーター２５２は織物である。織物の材質はポリエステル（polyester）または敏感肌にやさしい材質である。第一サポーター２５１および第二サポーター２５２は相対的に配置される。可撓性繊維サポーター２５３は第一サポーター２５１および第二サポーター２５２の間に配置される。詳しく言えば、可撓性繊維サポーター２５３は径方向に沿って第一サポーター２５１および第二サポーター２５２の間の表面に連結されて良好な通気通路を生成するため、肌の快適さの向上が実現できるだけでなく、３Ｄ立体織物素材２５を全方向に伸展させることができる。
【００１５】
（一実施形態）
図２に示すように、本考案の一実施形態による肌の快適さを調整可能な肩紐６０は肩紐部材２３、調整部材５１、連結部材５２および３Ｄ立体織物素材２５を備える。肩紐部材２３は少なくとも一つの第一肩紐２３ａを有する。調整部材５１は平面図が８字型であり、第一穿孔５１ａおよび第二穿孔５１ｂを有する。連結部材５２は第三穿孔５２ａおよび第四穿孔５２ｂを有する。３Ｄ立体織物素材２５は第一肩紐２３ａの中間部位に連結される。３Ｄ立体織物素材２５は一端が調整部材５１の第一穿孔５１ａおよび第二穿孔５１ｂを貫通し、続いて連結部材５２の第三穿孔５２ａを貫通し、続いて第三穿孔５２ａから折り返して第二穿孔５１ｂおよび第一穿孔５１ａを貫通することによって第一肩紐２３ａの長さを調整する。
【００１６】
肌の快適さを調整可能な肩紐は様々なタイプの衣類に応用されることができる。例えば、肩紐部材２３を衣類の一部として肌の快適さを調整可能な肩紐と衣類とを結合させることができる。詳しく言えば、縫製技術によって衣類の一部になる肩紐部材２３と３Ｄ立体織物素材２５とを糸縫い目２８で連結し、連結部材５２の第四穿孔５２ｂと肩紐部材２３の別の一端とを連結すれば肌の快適さを調整可能な肩紐と衣類とが結合できる。
【００１７】
以下、肌の快適さを調整可能な肩紐と衣類とを結合させる実施形態について説明を進める。
【００１８】
（一実施形態）
図３に示すように、肌の快適さを調整可能な肩紐を応用したインナー２０はスポーツインナーである。インナー２０は本体２１、裾２２、肩紐部材２３および３Ｄ立体織物素材２５から構成される。３Ｄ立体織物素材２５は軽量特性、良好な通気性および弾力性を有する。
【００１９】
裾２２は伸縮性が本体２１に優れた材質から製作され、本体２１の下側辺縁に連結されてインナー２０を着用者の特定部位に位置および安定させる。肩紐部材２３は第一肩紐２３ａおよび第二肩紐２３ｂを有する。第一肩紐２３ａおよび第二肩紐２３ｂは本体２１の頂部に別々に連結されてインナー２０を着用者の肩に安定させる。
【００２０】
３Ｄ立体織物素材２５は第一３Ｄ立体織物２５ａ、第二３Ｄ立体織物２５ｂおよび第三３Ｄ立体織物２５ｃを有する。第一３Ｄ立体織物２５ａは第一肩紐２３ａの中間部位に連結される。第二３Ｄ立体織物２５ｂは第二肩紐２３ｂの中間部位に連結される。第三３Ｄ立体織物２５ｃは裾２２の中央部位に連結される。詳しく言えば、第一３Ｄ立体織物２５ａ、第二３Ｄ立体織物２５ｂおよび第三３Ｄ立体織物２５ｃは縫製技術によって第一肩紐２３ａ、第二肩紐２３ｂおよび裾２２に別々に連結される。軽量特性、良好な通気性および弾力性を有する３Ｄ立体織物素材２５によって着用者の快適さを向上させ、インナー２０の一部分の部位に良好な伸展性をもたらすことができる。
【００２１】
図４に示すように、３Ｄ立体織物素材２５と別の織物とを結合させて全体構造の強度を強化するために、縫製技術によって３Ｄ立体織物素材２５の両側に繋ぎ生地２６ａ、２６ｂを糸縫い目２７ａ、２７ｂで連結および固定すれば、３Ｄ立体織物素材２５と別の生地とを結合させる際の利便性をはかることができる。
【００２２】
上述をまとめてみると、肌の快適さを調整可能な肩紐は３Ｄ立体織物の軽量特性および良好な通気性によって肌に接触する際の快適さを向上させることができる。言い換えれば、本考案による肌の快適さを調整可能な肩紐を応用したインナーは着用者に快適さを感じさせることができる。  
【００２３】
以上、本考案は、上記実施形態になんら限定されるものではなく、考案の趣旨を逸脱しない範囲において種々の形態で実施可能である。
【符号の説明】
【００２４】
２０：インナー、  
２１：本体、  
２２：裾、  
２３：肩紐部材、  
２３ａ：第一肩紐、  
２３ｂ：第二肩紐、  
２５：３Ｄ立体織物素材、  
２５ａ：第一３Ｄ立体織物、  
２５ｂ：第二３Ｄ立体織物、  
２５ｃ：第三３Ｄ立体織物、  
２５１：第一サポーター、  
２５２：第二サポーター、  
２５３：可撓性繊維サポーター、  
２６ａ、２６ｂ：繋ぎ生地、  
２７ａ、２７ｂ、２８：糸縫い目、  
５１：調整部材、  
５１ａ：第一穿孔、  
５１ｂ：第二穿孔、  
５２：連結部材、  
５２ａ：第三穿孔、  
５２ｂ：第四穿孔、  
６０：調整可能な肩紐
【図１】
0003225247.tif 000003
【図２】
0003225247.tif 000004
【図３】
0003225247.tif 000005
【図４】
0003225247.tif 000006